(57)【要約】【課題】スクリーンを巻き取った場合、投射光を反射または透過する領域の損傷を防止できるスクリーン及びスクリーン装置を提供する。【解決手段】スクリーン２は、投射光Ｌを反射させて表示を行うスクリーン２であって、投射光Ｌを反射させる反射膜２０２が形成される表示領域２１を有する第１面（表面２０Ａ）と、表面２０Ａと反対側の第２面（裏面２０Ｂ）とを有し、巻回可能なスクリーン基材２０と、可撓性を有し、表示領域２１の幅方向の外側に相対する裏面２０Ｂに、表示領域２１の巻回方向の略全長にわたって設置される保護部材３０と、を備え、スクリーン基材２０の巻回時には、表面２０Ａが外側となるように巻回される。【選択図】図２
2013025213.tif 000002
【特許請求の範囲】
【請求項１】
投射光を反射させて表示を行うスクリーンであって、
前記投射光を反射させて表示を行う側となる第１面と、当該第１面と反対側の第２面とを有し、巻回可能なスクリーン基材と、
可撓性を有し、前記スクリーン基材の巻回方向の略全長にわたって前記第２面に設置される保護部材と、を備え、
前記スクリーン基材の巻回時には、前記第１面が外側となるように巻回されることを特徴とするスクリーン。
【請求項２】
投射光を反射または透過させて表示を行うスクリーンであって、
前記投射光を反射または透過させる反射膜または透過面が形成される表示領域を有する第１面と、当該第１面と反対側の第２面とを有し、巻回可能なスクリーン基材と、
可撓性を有し、前記表示領域の幅方向の外側に相対する前記第２面に、前記表示領域の巻回方向の略全長にわたって設置される保護部材と、を備え、
前記スクリーン基材の巻回時には、前記第１面が外側となるように巻回されることを特徴とするスクリーン。
【請求項３】
請求項１または請求項２に記載のスクリーンであって、
前記スクリーン基材の前記巻回方向の一方の端部に接続され、可撓性を有する巻回可能な補助基材を更に備えていることを特徴とするスクリーン。
【請求項４】
請求項３に記載のスクリーンであって、
前記補助基材は、一方の端部を前記スクリーン基材の前記一方の端部の前記第２面側に接続され、
前記保護部材は、前記補助基材の前記一方の端部の端面近傍に設置されていることを特徴とするスクリーン。
【請求項５】
請求項３に記載のスクリーンであって、
前記補助基材は、一方の端部を前記スクリーン基材の前記一方の端部の前記第２面側に接続され、
前記保護部材は、前記スクリーン基材と前記補助基材との接続された部分を含めて設置されていることを特徴とするスクリーン。
【請求項６】
請求項１〜請求項５のいずれか一項に記載のスクリーンであって、
前記保護部材は、弾性部材により形成されていることを特徴とするスクリーン。
【請求項７】
請求項１〜請求項６のいずれか一項に記載のスクリーンと、
前記スクリーンが巻回される巻回機構部と、
前記巻回機構部と協働して伸縮することにより、前記スクリーンが前記巻回および繰り出される伸縮機構部と、を備えることを特徴とするスクリーン装置。
【発明の詳細な説明】
【技術分野】
【０００１】
本発明は、スクリーン及びスクリーン装置に関する。
【背景技術】
【０００２】
従来、プロジェクター等の投射型表示装置から投射された投射光をスクリーンで反射して画像を表示するスクリーン装置が知られている。特許文献１では、スクリーンの裏面側のスクリーン本体部と非スクリーン本体部とが接合されて並べられた方向と直交する方向の両端の、第１の端部と第２の端部とが接合された領域に重ならない位置に、第１の巻き段防止部材及び第２の巻き段防止部材を取り付けることが開示されている。これにより、巻取り収納が可能であり、スクリーン本体部と非スクリーン本体部との接合部分の段差に起因してスクリーンに筋状に生じる巻き段が付かず、使用時の平面性が良好なスクリーンを提供できるとしている。
【先行技術文献】
【特許文献】
【０００３】
【特許文献１】特開２００７−３２８１１１号公報
【発明の概要】
【発明が解決しようとする課題】
【０００４】
巻取りが可能なスクリーンにおいて、スクリーンを巻き取った場合、一般的に、スクリーンの表（おもて）面と裏面とが重なる状態となる。スクリーンの表面に投射光を反射する反射膜を構成するための突起等が形成されている場合においては、突起が裏面と接触することになる。この場合、突起が裏面と擦れ、突起の形状が部分的に崩れる場合がある。そのような場合には、反射膜に外観上の傷が発生し、結果として、プロジェクターからの投射光が傷の部分において正規の反射が行えず、表示欠陥となるという課題がある。また、反射膜を有するスクリーンに、延接用のスクリーン基材を接合した場合においては、接合部のエッジが突起と接触することにより、同様の課題が発生する。
【０００５】
なお、特許文献１に開示されるスクリーンでは、スクリーンを巻き取った場合、第１の巻き段防止部材及び第２の巻き段防止部材を取り付けたスクリーンの部分においては、スクリーンの表（おもて）面と裏面とが重なる状態は避けることができ、接合部でのエッジによる反射膜の擦れは防止できる。しかし、巻取り段差部材を取り付けていない部分においては、スクリーンの表面と裏面とが重なる状態となるため、同様の課題が発生する。
【０００６】
また、スクリーンを巻き取ることにより、表面と裏面とが接触する場合には、スクリーンに対して、巻取りと展張（繰出し）とを繰り返すことにより、表面と裏面とが接触と剥離とを繰り返すこととなり、スクリーンに静電気が帯電し易くなる。これにより、スクリーンの表面、裏面に使用環境内の塵埃が付着し、反射膜の反射率が低下するという課題もある。
従って、スクリーンを巻き取った場合、投射光を反射または透過する領域の損傷を防止できるスクリーン及びスクリーン装置が要望されていた。
【課題を解決するための手段】
【０００７】
本発明は、上述した課題の少なくとも一部を解決するためになされたものであり、以下の形態または適用例として実現することが可能である。
【０００８】
［適用例１］本適用例に係るスクリーンは、投射光を反射させて表示を行うスクリーンであって、（１）投射光を反射させて表示を行う側となる第１面と、第１面と反対側の第２面とを有し、巻回可能なスクリーン基材と、（２）可撓性を有し、スクリーン基材の巻回方向の略全長にわたって第２面に設置される保護部材と、を備え、スクリーン基材の巻回時には、第１面が外側となるように巻回されることを特徴とする。
【０００９】
このようなスクリーンによれば、スクリーン基材を巻回する場合、スクリーン基材の巻回方向の略全長にわたって第２面に設置される保護部材が、第１面と第２面との間に挟みこまれる状態で巻回されることになる。従って、第１面と第２面とが接触して巻回されることを防止することができるため、投射光を反射させる第１面の損傷を防止できる。第１面が外側となるように巻回されることにより、スクリーン基材のエッジによる第１面への傷付けを防止できる。また、第１面と第２面とが直接接触して巻回されないため、スクリーン基材に対して、巻取りと展張（繰出し）を繰り返すことによる静電気の帯電を防止することができる。従って、スクリーン基材の第１面、第２面に使用環境内の塵埃が付着することを防止できる。
【００１０】
［適用例２］本適用例に係るスクリーンは、投射光を反射または透過させて表示を行うスクリーンであって、（１）投射光を反射または透過させる反射膜または透過面が形成される表示領域を有する第１面と、第１面と反対側の第２面とを有し、巻回可能なスクリーン基材と、（２）可撓性を有し、表示領域の幅方向の外側に相対する第２面に、表示領域の巻回方向の略全長にわたって設置される保護部材と、を備え、スクリーン基材の巻回時には、第１面が外側となるように巻回されることを特徴とする。
【００１１】
このようなスクリーンによれば、第１面に反射膜または透過面を有する表示領域が備えられている場合、スクリーン基材を巻回する際に、表示領域外の第１面の部分が、保護部材に接触して巻回される。そして、第１面の表示領域の部分は第２面と隙間を有して巻回される。従って、表示領域と第２面とが接触して巻回されることを防止できることで、投射光を反射または透過する表示領域の損傷を防止できる。
【００１２】
［適用例３］上記適用例に係るスクリーンにおいて、スクリーン基材の巻回方向の一方の端部に接続され、可撓性を有する巻回可能な補助基材を更に備えていることが好ましい。
【００１３】
このようなスクリーンによれば、スクリーン基材に補助基材を接続することで、例えば、スクリーンを床置きタイプのスクリーン装置として組み立てた場合、スクリーンを巻回や展張する場合に、補助基材を使用することで、第１面または表示領域を所定の高さに調節することができる。
【００１４】
［適用例４］上記適用例に係るスクリーンにおいて、補助基材は、一方の端部をスクリーン基材の一方の端部の第２面側に接続され、保護部材は、補助基材の一方の端部の端面近傍に設置されていることが好ましい。
【００１５】
このようなスクリーンによれば、補助基材をスクリーン基材の第２面側に接続した場合にも、保護部材が、補助基材の一方の端部の端面近傍に設置されることにより、補助基材を巻回した場合、補助基材の一方の端部のエッジによる補助基材への傷付けを防止できる。また、補助基材とスクリーン基材とが接続された部分は厚さ方向に段差が生じ、その部分を巻回した状態で長期間放置した場合、スクリーン基材が段差と重なる位置に筋状の曲げ癖が残り、使用時には、スクリーン基材の平面性が損なわれて、投射光による映像が歪むという不具合が生じる。しかし、保護部材が、補助基材の一方の端部の端面近傍に設置されることにより、スクリーンを巻回した場合、補助基材とスクリーン基材とが接続された部分は、保護部材を弾性変形させるとともに、保護部材との間に隙間を生じさせる。これにより、段差が緩和されて巻回される。従って、段差による曲げ癖を抑制し、スクリーン基材の平面性を確保することができる。
【００１６】
［適用例５］上記適用例に係るスクリーンにおいて、補助基材は、一方の端部をスクリーン基材の一方の端部の第２面側に接続され、保護部材は、スクリーン基材と補助基材との接続された部分を含めて設置されていることが好ましい。
【００１７】
このようなスクリーンによれば、補助基材をスクリーン基材の第２面側に接続した場合にも、保護部材が、接続部分を含めて設置されることにより、補助基材を巻回した場合、補助基材の一方の端部のエッジによる補助基材への傷付けを防止できる。また、上述したと同様に、段差による曲げ癖を抑制し、スクリーン基材の平面性を確保することができる。
【００１８】
［適用例６］上記適用例に係るスクリーンにおいて、保護部材は、弾性部材により形成されていることが好ましい。
【００１９】
このようなスクリーンによれば、保護部材は、弾性部材により形成され、緩衝材として機能することにより、スクリーン基材を巻回する場合、保護部材を適度に変形させて巻回することができるため、保護部材と接するスクリーン基材の第１面への傷付け等を防止することができる。
【００２０】
［適用例７］本適用例に係るスクリーン装置は、上述したいずれかのスクリーンと、スクリーンが巻回される巻回機構部と、巻回機構部と協働して伸縮することにより、スクリーンが巻回および繰り出される伸縮機構部と、を備えることを特徴とする。
【００２１】
このようなスクリーン装置によれば、上記の効果を奏するスクリーンに対して、巻回機構部、伸縮機構部を備えることにより、使用時にはスクリーンを繰り出して展張し、終了時にはスクリーンを巻回してコンパクトに収容することができる。また、スクリーンを巻回した場合に、スクリーン基材の第１面または表示領域の損傷を防止でき、また、接続した部分の段差による曲げ癖を抑制してスクリーン基材の平面性を確保することができるため、投射光を良好に反射または透過させることができるスクリーン装置を実現できる。
【図面の簡単な説明】
【００２２】
【図１】実施形態に係るスクリーン装置を模式的に示す図。
【図２】スクリーンを模式的に示す図。
【図３】表示領域を模式的に示す断面図。
【図４】スクリーンがスプリングロールに巻回される状態を模式的に示す部分断面図。
【発明を実施するための形態】
【００２３】
以下、実施形態を図面に基づいて説明する。
（実施形態）
【００２４】
図１は、実施形態に係るスクリーン装置１を模式的に示す図である。図１を参照して、本実施形態のスクリーン装置１の概構成に関して簡略に説明する。
【００２５】
本実施形態のスクリーン装置１は、反射型のスクリーン装置１であり、床面等に設置して使用されるタイプの装置である。スクリーン装置１は、直方体状の箱型に形成される筺体７の内部から上方（床面に対して略垂直な方向）に向かって、略矩形状のスクリーン２が伸縮機構部４と巻回機構部５との動作により繰り出される。スクリーン２は、床面に対して起立して使用可能な状態となる。そして、スクリーン２は、筺体７に設置されるプロジェクター６から射出される投射光Ｌを観察者側に反射する。なお、スクリーン装置１の詳細に関しては後述する。
【００２６】
図１を含む以降の図面では、各構成要素を図面上で認識できる程度の大きさとするため、各構成要素の寸法や比率を実際のものとは適宜異ならせて示している。また、図１を含む以降の図面では、説明の便宜上、ＸＹＺ直交座標系で記載する。ＸＹＺ直交座標系は、床面に対して垂直方向をＹ方向とする。また、起立したスクリーン２の表（おもて）面２０Ａに平行で、Ｙ方向に直交する方向をＸ方向とする。また、Ｙ方向及びＸ方向に直交する方向をＺ方向とする。
【００２７】
また、Ｙ方向において、重力方向を基準として、重力方向（−Ｙ方向）を下方向、重力方向と逆方向（＋Ｙ方向）を上方向とする。また、Ｘ方向において、起立した状態のスクリーン２の表面２０Ａと正対した場合の＋Ｘ方向を右方向、−Ｘ方向を左方向とする。また、起立したスクリーン２の表面２０Ａと正対する方向（＋Ｚ方向）を前方向、逆方向（−Ｚ方向）を後方向として適宜使用する。
【００２８】
図２は、スクリーン２を模式的に示す図であり、図２（ａ）は、スクリーン２を表面２０Ａ側から見た平面図であり、図２（ｂ）は、スクリーン２を右方向から見た側面図である。図３は、表示領域２１を模式的に示す断面図である。なお、図３は、図２（ａ）に示すＡ−Ａ線で切断した断面図である。図２、図３を参照して、本実施形態のスクリーン２の構成及び動作に関して説明する。
【００２９】
本実施形態のスクリーン２は、反射型のスクリーン２であり、投射光Ｌを反射させて表示を行う可撓性を有するシート状のスクリーン基材２０と、このスクリーン基材２０の一方の端部としての下端部２００ｂに延接される補助基材２５とを有して構成される。なお、補助基材２５は、スクリーン基材２０と同様に、可撓性を有するシート状に形成されている。また、補助基材２５は、スクリーン装置１において、スクリーン基材２０に有する後述する表示領域２１が所定の高さとなるように、スクリーン２の高さを調整している。
【００３０】
本実施形態のスクリーン基材２０と補助基材２５とは、黒色で硬質の塩化ビニル樹脂を用いて矩形状に形成されている。黒色としているのは、不要な入射光を吸収し易くさせることができるためである。図２に示すように、スクリーン基材２０と補助基材２５との幅方向（Ｘ方向）の長さは略同一である。
【００３１】
本実施形態のスクリーン基材２０は、図２に示すように、第１面部としての表面２０Ａの略中央部に矩形状を有して形成される表示領域２１と、表示領域２１の外部の領域となる表示外領域２２とで構成されている。なお、表示領域２１は、プロジェクター６（図１参照）からの投射光Ｌが投射される領域である。
【００３２】
図３に示すように、表面２０Ａには、全体にわたって凹形状に形成される複数の凹部２０１を有している。なお、凹部２０１の内面２０１Ａは、本実施形態では略半球面状に形成される。表示領域２１は、この内面２０１Ａに反射膜２０２が選択的に形成された領域であり、投射光Ｌを前方向（＋Ｚ方向）に反射させる動作を行う。
【００３３】
図３に示すように、凹部２０１は、加熱しながら転写型（図示省略）をスクリーン基材２０に押し付ける転写装置（図示省略）を用いて形成される。転写装置は、形成させる形状（凹部２０１の形状）とは逆形状に形成された金型を加熱しながら、スクリーン基材２０を両面方向から高圧力で押し付け、スクリーン基材２０を金型形状に沿わせて熱変形（転写）させて、必要な形状を形成させる。
【００３４】
なお、反射膜２０２は、凹部２０１が形成された表面２０Ａに対し、表示領域２１を露出させ、その他の領域（表示外領域２２）にマスクを施した後、斜方蒸着により形成される。蒸着源Ｓは、表面２０Ａに対して斜めに投射光Ｌを射出するプロジェクター６の位置と略一致させ、蒸着源Ｓからアルミニウム等の材料が放射状に拡散する際の中心軸は、プロジェクター６の投射光Ｌの光軸ＯＡとＹＺ平面で略重なるように設置されて、蒸着が行われる。これにより、投射光Ｌが入射する内面２０１Ａに対応させ、内面２０１Ａ形状に沿って反射膜２０２が形成される。これにより、表示領域２１が形成される。なお、マスクを施した表示外領域２２には、反射膜は形成されない。
【００３５】
なお、複数の凹部２０１が上述したように形成された際、凹部２０１と凹部２０１との境界部分には、図３に示すように、微細な凸形状となる突起２０５が形成された状態となる。
【００３６】
図２に戻り、スクリーン基材２０の第２面部としての裏面２０Ｂには、スクリーン基材２０の一方の端部としての下端部２００ｂから、上方に所定の重なり部分を有して、補助基材２５の一方の端部としての上端部２５０ａが接続される。なお、接続には接着剤が用いられ、スクリーン基材２０の下端部２００ｂと、補助基材２５の上端部２５０ａとの重なり部分（接続部分２６）の略全域にわたって接続層２９として形成される。なお、接続層２９を形成する接着剤として、本実施形態では、エポキシ樹脂系の接着剤を使用している。
【００３７】
また、スクリーン基材２０の裏面２０Ｂには、図２（ａ）に示すように、表示領域２１の幅方向（Ｘ方向）の外側（表示外領域２２）に相対する部位で、表示領域２１の巻回方向（Ｙ方向）の略全長にわたって設置される一対の保護部材３０が設置されている。詳細には、保護部材３０は、スクリーン基材２０の裏面２０Ｂで、左端部２００ｃの近傍に保護部材３０Ａが設置され、右端部２００ｄの近傍に保護部材３０Ｂが設置される。また、図２（ｂ）に示すように、保護部材３０は、補助基材２５の上端部２５０ａの端面２５ａ近傍からスクリーン基材２０の上端部２００ａの近傍にわたって設置される。
【００３８】
保護部材３０は、略直方体形状に形成される保護部材本体３１と、保護部材本体３１を裏面２０Ｂに設置する保護部材固定層３２とで構成される。保護部材３０は、弾性部材により形成され、緩衝材として機能する。保護部材本体３１は、本実施形態では、フェルトを使用している。また、保護部材固定層３２として、本実施形態では、両面テープを使用しいている。なお、保護部材本体３１は、フェルトに限らず、フェルト以外の不織布、発泡体のポリエチレン系の合成樹脂、ウレタン系の合成樹脂、ゴム材料等を使用してもよい。
【００３９】
次に、図１に戻り、スクリーン装置１の構成及びスクリーン装置１の製造方法に関して説明する。
【００４０】
スクリーン装置１は、上述したように、スクリーン２と伸縮機構部４と巻回機構部５とプロジェクター６と筺体７とを有して構成される。筺体７は、直方体状の箱型に形成され、上面７ａの中央部には、プロジェクター６が投射レンズ６１を後方に向けて載置され、固定されている。また、筺体７の上面７ａの後方には、開口部７１が形成されており、この開口部７１を介してスクリーン２が上方向に繰り出され、また、筺体７内部に巻回されて収容される。
【００４１】
筺体７内部には、巻回機構部５が設置されている。巻回機構部５は、スプリングロール５０を有して構成される。スプリングロール５０は、スクリーン２（補助基材２５）の他方の端部としての下端部２５０ｂ（図２（ａ）参照）を固着し、筺体７内部に回動自在に取り付けられている。
【００４２】
また、スクリーン２（スクリーン基材２０）の他方の端部としての上端部２００ａ（図２（ａ）参照）は、後述するフレーム３に保持されて固定される。そして、固定された上端部２００ａは、カバー８で覆われる。なお、スクリーン基材２０の裏面２０Ｂに設置される保護部材３０は、フレーム３に固定される上端部２００ａには設置されていないため、フレーム３とは重ならない。
【００４３】
スプリングロール５０は、常にスクリーン２を巻き取る方向に付勢している。従って、スクリーン２は、フレーム３とスプリングロール５０とにより、常に上下方向で引っ張られた状態となっている。また、スクリーン２の左右方向（Ｘ方向）もフレーム３とスプリングロール５０とにより弛み無く張られた状態となっている。
【００４４】
筺体７の右側面７ｂには、伸縮機構部４が設置されている。伸縮機構部４は、駆動部４０と伸縮部４１とを有して構成されている。なお、伸縮部４１の先端部には、フレーム３が水平方向に延びて設置されている。駆動部４０は、モーターやギヤ等で構成され、駆動部４０が駆動することにより、伸縮部４１が伸縮動作を行う。伸縮部４１の伸縮動作に従動してフレーム３は上下方向（Ｙ方向）に移動する。
【００４５】
従って、伸縮部４１が縮む動作を行い、下方向に移動した場合、フレーム３も下方向に移動する。この動作により、スクリーン２は、スプリングロール５０に巻回されながら下方向に移動する。また逆に、伸縮部４１が伸びる動作を行い、上方向に移動した場合、フレーム３も上方向に移動する。この動作により、スクリーン２は、スプリングロール５０の付勢力に抗して上方向に移動することにより、スプリングロール５０から繰り出されて展張される。
【００４６】
上述したように、スクリーン装置１を組み立てた場合、プロジェクター６からの投射光Ｌの光軸ＯＡとスクリーン２（表示領域２１）の左右方向の中心軸ＢとがＹＺ平面で略重なる。そして、プロジェクター６から射出された投射光Ｌが、スクリーン２の表示領域２１内に投射される。表示領域２１内に投射された投射光Ｌは、スクリーン２の反射膜２０２により、スクリーン２の前方（＋Ｚ方向）に位置する観察者に効率的に反射される。
【００４７】
また、スクリーン２に、蛍光灯等からの不要な外光が入射した場合には、反射膜２０２が形成されていない凹部２０１の内面２０１Ａに吸収されるため、観察者側には反射させ難くすることができ、コントラスト性能を向上させる。
【００４８】
図４は、スクリーン２がスプリングロール５０に巻回される状態を模式的に示す部分断面図である。なお、図４は、保護部材３０をＹＺ平面で切断した状態を示している。図４を参照して、スクリーン２の巻回に関して説明する。
【００４９】
スプリングロール５０には、上述したように、スクリーン２（補助基材２５）の下端部２５０ｂが固着される。スプリングロール５０は、図４に示すように、最初に補助基材２５を巻回し、次に接続部分２６を巻回し、次にスクリーン基材２０を巻回する。なお、スクリーン２は、スクリーン基材２０の表面２０Ａが外側となるように、スプリングロール５０に巻回される。
【００５０】
接続部分２６が巻回された場合、接続部分２６（下端部２００ｂ）以降のスクリーン基材２０の表面２０Ａは、スクリーン基材２０の裏面２０Ｂと直接接触することは無く、保護部材３０に当接しながら巻回される。言い換えると、スクリーン基材２０は、保護部材３０が、表面２０Ａと裏面２０Ｂとの間に挟みこまれる状態で巻回される。なお、保護部材３０に当接しながら巻回される表面２０Ａは、保護部材３０の緩衝性で、保護部材本体３１が弾性変形することで、保護部材本体３１による傷付けが防止できる。従って、表面２０Ａの突起２０５（図３参照）は、裏面２０Ｂと直接接触することは無く、保護部材３０に接触して巻回されることで、突起２０５の損傷を防止できる。
【００５１】
なお、保護部材３０が設置されないスクリーン基材２０の表示領域２１を含む領域は、弾性変形してつぶされた保護部材本体３１の厚さと、保護部材固定層３２の厚さとを加えた厚さが、スクリーン基材２０の裏面２０Ｂと、周回してきたスクリーン基材２０の表面２０Ａとの隙間として保持されてスクリーン基材２０は巻回される。従って、保護部材３０が設置されないスクリーン基材２０の表示領域２１を含む領域においては、スクリーン基材２０の裏面２０Ｂと表面２０Ａとが接触することなく巻回される。
【００５２】
なお、スプリングロール５０により巻回されたスクリーン２を展張した場合、保護部材３０は、復元力により、元の状態（厚さ）に戻る。
【００５３】
上述した実施形態によれば、以下の効果が得られる。
本実施形態のスクリーン２によれば、表面２０Ａに投射光Ｌを反射させる反射膜２０２を有する表示領域２１を備え、保護部材３０は、表示領域２１の幅方向の外側に相対する裏面２０Ｂに、表示領域２１の巻回方向の略全長にわたって設置されている。また、スクリーン基材２０の下端部２００ｂに補助基材２５の上端部２５０ａが接続されている。そして、スクリーン２を巻回する場合、スクリーン基材２０の表面２０Ａが外側となるように巻回される。これらにより、スクリーン２（スクリーン基材２０）を巻回する場合、保護部材３０が、表面２０Ａと裏面２０Ｂとの間に挟みこまれる状態で巻回されることになる。詳細には、表示外領域２２の表面２０Ａの部分が、保護部材３０に接触して巻回される。そして、表面２０Ａの表示領域２１は裏面２０Ｂと隙間を有して巻回される。従って、表示領域２１と裏面２０Ｂとが接触して巻回されることを防止できることで、投射光Ｌを反射する表示領域２１の損傷を防止できる。詳細には、突起２０５が裏面２０Ｂと擦れて突起２０５の形状が崩れることを防止できることで、反射膜２０２に傷が発生することを防止できる。これにより、投射光Ｌが反射膜２０２で正規の反射を行え、表示欠陥を防止することができる。
また、保護部材３０（保護部材３０Ａ，３０Ｂ）が、表示外領域２２の裏面２０Ｂの幅方向の左端部２００ｃと右端部２００ｄ近傍に設置されることにより、保護部材３０の設置による表面２０Ａへの影響（表面２０Ａに皺や歪みが発生すること等）を極力低減させることができる。
また、表面２０Ａと裏面２０Ｂとが直接接触して巻回されないため、スクリーン基材２０に対して、巻取りと展張（繰出し）を繰り返すことによる静電気の帯電を防止することができるため、スクリーン基材２０の表面２０Ａと裏面２０Ｂに使用環境内の塵埃が付着することを防止できる。従って、反射膜２０２の反射率を良好に維持することができる。
【００５４】
本実施形態のスクリーン２によれば、スクリーン基材２０の下端部２００ｂに、可撓性を有する巻回可能な補助基材２５を備えているため、スクリーン装置１として組み立てた場合、スクリーン２を巻回や展張する場合に、表示領域２１を所定の高さに調節することができる。
【００５５】
本実施形態のスクリーン２によれば、補助基材２５は、上端部２５０ａをスクリーン基材２０の下端部２００ｂの裏面２０Ｂに接続され、保護部材３０は、補助基材２５の上端部２５０ａの端面２５ａ近傍に設置されていることにより、補助基材２５を巻回した後に続けて、接続部分２６を巻回した場合に、補助基材２５の上端部２５０ａのエッジによる補助基材２５自体への傷付けを防止できる。また、保護部材３０が、補助基材２５の上端部２５０ａの端面２５ａ近傍に設置されることにより、スクリーン２を巻回した場合、補助基材２５とスクリーン基材２０とが接続された部分（接続部分２６）は、保護部材３０を弾性変形させるとともに、保護部材３０との間に隙間を生じさせる。これにより、接続部分２６の厚さ方向の段差が緩和されて巻回される。従って、段差による曲げ癖を抑制し、スクリーン基材２０の平面性を確保することができる。これにより、スクリーン２の表示領域２１に投射される映像の歪みを抑制することができる。
【００５６】
本実施形態のスクリーン２によれば、保護部材３０は、弾性部材により形成され、緩衝材として機能することにより、スクリーン基材２０を巻回する場合、保護部材３０を適度に変形させて巻回することができるため、保護部材３０と接するスクリーン基材２０の表面２０Ａへの傷付け等を防止することができる。
【００５７】
本実施形態のスクリーン装置１によれば、巻回機構部５、伸縮機構部４を備えることにより、使用時にはスクリーン２を繰り出して展張し、終了時にはスクリーン２を巻回してコンパクトに収容することができる。また、スクリーン２を巻回した場合に、スクリーン基材２０の表面２０Ａまたは表示領域２１の損傷を防止でき、また、接続部分２６の段差による曲げ癖を抑制してスクリーン基材２０の平面性を確保することができるため、投射光Ｌを良好に反射させることができるスクリーン装置１を実現できる。
【００５８】
なお、上述した実施形態に限定されず、その要旨を逸脱しない範囲において種々の変更や改良等を加えて実施することが可能である。変形例を以下に述べる。
【００５９】
前記実施形態のスクリーン２は、反射型のスクリーン２であり、保護部材３０は、表示領域２１の幅方向の外側となる表示外領域２２に相対して、裏面２０Ｂに設置されている。しかし、表示領域２１に相対する裏面２０Ｂにも巻回方向の略全長にわたって保護部材３０が設置されていることでもよい。
【００６０】
前記実施形態のスクリーン２は、反射型のスクリーン２であり、スクリーン基材２０の表面２０Ａには、反射膜２０２が形成される表示領域２１が設定されている。しかし、表示領域２１は設定されなくてもよく、スクリーン基材２０の表面２０Ａの全面に反射膜２０２を形成させることでもよい。
【００６１】
前記実施形態のスクリーン２は、反射型のスクリーン２である。しかし、これに限定されず、投射光を透過させて映像を表示する透過型のスクリーンであってもよい。この場合、スクリーン基材の表面２０Ａには、表示領域２１として、投射光を透過させて映像表示させる透過面を有していることが望ましい。
【００６２】
前記実施形態のスクリーン２は、スクリーン基材２０と補助基材２５とを備えている。しかし、これに限られず、補助基材２５を備えないスクリーン基材２０のみのスクリーン２であって、このスクリーン基材２０に、上述の保護部材３０を設置してもよい。このような場合にも、スクリーン基材２０の表面２０Ａと裏面２０Ｂとが接触することを防止でき、表面２０Ａを傷付けることがない。
【００６３】
前記実施形態のスクリーン２において、保護部材３０は、補助基材２５の上端部２５０ａの端面２５ａ近傍から、スクリーン基材２０の上端部２００ａに向かって設置されている。しかし、これに限られず、保護部材３０は、補助基材２５の接続部分２６を含めて設置されていてもよい。保護部材３０が、接続部分２６を含めて設置されることにより、補助基材２５を巻回した場合、補助基材２５の上端部２５０ａのエッジによる補助基材２５への傷付けを防止できる。また、接続部分２６の段差による曲げ癖を抑制し、スクリーン基材２０の平面性を確保することができる。
【００６４】
前記実施形態のスクリーン２は、凹形状に形成される複数の凹部２０１を有している。しかし、凹形状には限られず、凸形状に形成される複数の凸部を有していてもよい。この場合、反射膜は、凸部の外面に選択的に形成されることでよい。
【００６５】
前記実施形態のスクリーン２において、反射膜２０２は、蒸着法（斜方蒸着）により形成されている。しかし、蒸着には限られず、スパッタ法等によって選択的に形成されることでもよい。
【００６６】
前記実施形態のスクリーン装置１は、プロジェクター６を備えている。しかし、これに限られず、プロジェクターを備えていなくてもよい。
【符号の説明】
【００６７】
１…スクリーン装置、２…スクリーン、４…伸縮機構部、５…巻回機構部、２０Ａ…表面、２０Ｂ…裏面、２１…表示領域、２５…補助基材、２５ａ…端面、２６…接続部分、３０…保護部材、２００ｂ…下端部、２０２…反射膜、２５０ａ…上端部、Ｌ…投射光。
【図１】
2013025213.tif 000003
【図２】
2013025213.tif 000004
【図３】
2013025213.tif 000005
【図４】
2013025213.tif 000006